【手続補正書】
【提出日】平成17年4月22日(2005.4.22)
【手続補正１】
【補正対象書類名】明細書
【補正対象項目名】特許請求の範囲
【補正方法】変更
【補正の内容】
【特許請求の範囲】
【請求項１】
曲の音楽デ−タを記憶する記憶手段と、該記憶手段に記憶されている曲の音楽デ−タを再生する再生手段と、少なくともこれら手段を制御する制御手段とを備えた音声記録再生装置において、
前記記憶手段に記憶されている曲のタイトル別に曲の再生回数と早送り回数とをカウントしていくタイトル別曲カウント手段と、
該タイトル別曲カウント手段によりカウントされた前記曲のタイトル別のカウント情報に基づいて、前記記憶手段に記憶されている曲の曲お気に入り度を算出する第１のお気に入り度算出手段とを備えていることを特徴とする音声記録再生装置。
【請求項２】
前記第１のお気に入り度算出手段が、
前記曲のタイトル別にカウントされた曲の再生回数から早送り回数を減算することにより前記曲お気に入り度を算出するものであることを特徴とする請求項１記載の音声記録再生装置。
【請求項３】
前記第１のお気に入り度算出手段による算出結果に基づいて、前記曲のお気に入り順位を示す情報を作成する第１のお気に入り順位情報作成手段を備えていることを特徴とする請求項１又は請求項２記載の音声記録再生装置。
【請求項４】
前記制御手段が、
前記第１のお気に入り順位情報作成手段により作成されるお気に入り順位情報に基づいて、前記記憶手段に記憶されている対応する曲の再生処理を行うものであることを特徴とする請求項３記載の音声記録再生装置。
【請求項５】
前記第１のお気に入り度算出手段が、
前記曲の再生日時情報に基づいて前記タイトル別の曲の再生回数を所定期間毎に分類し、
分類された前記曲の再生回数に前記所定期間毎に設定された所定の係数を乗算し、
乗算された前記所定期間毎の曲の再生回数を加算して前記曲の再生回数を算出し、
算出された前記曲の再生回数を使用して前記曲お気に入り度を算出するものであることを特徴とする請求項１〜４のいずれかの項に記載の音声記録再生装置。
【請求項６】
前記第１のお気に入り度算出手段が、
所定期間経過毎に、前記曲の再生回数を算出し、前記曲お気に入り度を更新していくものであることを特徴とする請求項５記載の音声記録再生装置。
【請求項７】
前記タイトル別曲カウント手段が、前記曲が繰り返し再生されたときの曲の繰り返し再生回数をさらにカウントしていくものであり、
前記第１のお気に入り度算出手段が、前記曲の繰り返し再生回数をさらに加算して前記曲お気に入り度を算出するものであることを特徴とする請求項５記載の音声記録再生装置。
【請求項８】
前記所定期間、及び／又は前記所定の係数を使用者が任意に設定することのできる第１の設定手段を備えていることを特徴とする請求項５記載の音声記録再生装置。
【請求項９】
曲の音楽デ−タを記憶する記憶手段と、該記憶手段に記憶されている曲の音楽デ−タを再生する再生手段と、少なくともこれら手段を制御する制御手段とを備えた音声記録再生装置において、
前記記憶手段に記憶されている曲のア−ティスト別に曲の再生回数と早送り回数とをカウントしていくア−ティスト別カウント手段と、
該ア−ティスト別カウント手段によりカウントされたア−ティスト別カウント情報に基づいて、前記記憶手段に記憶されている曲のア−ティストお気に入り度を算出する第２のお気に入り度算出手段とを備えていることを特徴とする音声記録再生装置。
【請求項１０】
前記第２のお気に入り度算出手段が、
前記曲のア−ティスト別にカウントされた曲の再生回数から早送り回数を減算することにより前記ア−ティストお気に入り度を算出するものであることを特徴とする請求項９記載の音声記録再生装置。
【請求項１１】
前記第２のお気に入り度算出手段による算出結果に基づいて、前記ア−ティストのお気に入り順位を示す情報を作成する第２のお気に入り順位情報作成手段を備えていることを特徴とする請求項９又は請求項１０記載の音声記録再生装置。
【請求項１２】
前記制御手段が、
前記第２のお気に入り順位情報作成手段により作成されるお気に入り順位情報に基づいて、前記記憶手段に記憶されている対応する曲の再生処理を行うものであることを特徴とする請求項１１記載の音声記録再生装置。
【請求項１３】
前記第２のお気に入り度算出手段が、
前記曲の再生日時情報に基づいて前記ア−ティスト別の曲の再生回数を所定期間毎に分類し、
分類された前記曲の再生回数に前記所定期間毎に設定された所定の係数を乗算し、
乗算された前記所定期間毎の曲の再生回数を加算して前記曲の再生回数を算出し、
算出された前記曲の再生回数を使用して前記ア−ティストお気に入り度を算出するものであることを特徴とする請求項９〜１２のいずれかの項に記載の音声記録再生装置。
【請求項１４】
前記第２のお気に入り度算出手段が、
所定期間経過毎に、前記曲の再生回数を算出し、前記ア−ティストお気に入り度を更新していくものであることを特徴とする請求項１３記載の音声記録再生装置。
【請求項１５】
前記所定期間、及び／又は前記所定の係数を使用者が任意に設定することのできる第２の設定手段を備えていることを特徴とする請求項１３記載の音声記録再生装置。
【請求項１６】
前記制御手段が、
前記第２のお気に入り度算出手段により算出された前記ア−ティストお気に入り度が所定値以上の場合、通信手段を介して、コンピュ−タネットワ−クに接続されたサ−バ−で前記ア−ティストに関連する情報を検索させる処理を行うものであることを特徴とする請求項９〜１５のいずれかの項に記載の音声記録再生装置。
【請求項１７】
前記制御手段が、
前記第２のお気に入り度算出手段により算出された前記ア−ティストお気に入り度が所定値以上の場合、通信手段を介して、コンピュ−タネットワ−クに接続されたサ−バ−から前記ア−ティストの最新曲の音楽デ−タをダウンロ−ドする処理を行うものであることを特徴とする請求項９〜１５のいずれかの項に記載の音声記録再生装置。
【請求項１８】
前記ダウンロ−ドの際に取得する情報に有料情報が含まれている場合には、使用者に告知を行う有料情報告知手段を備えていることを特徴とする請求項１７記載の音声記録再生装置。
【請求項１９】
前記記憶手段に記憶されている曲のア−ティスト別に曲の再生回数と早送り回数とをカウントしていくア−ティスト別カウント手段と、
該ア−ティスト別カウント手段によりカウントされたア−ティスト別カウント情報に基づいて、前記記憶手段に記憶されている曲のア−ティストお気に入り度を算出する第２のお気に入り度算出手段と、
前記第１のお気に入り度算出手段により算出された前記曲お気に入り度に、前記第２のお気に入り度算出手段により算出された前記ア−ティストお気に入り度を加算して、前記記憶手段に記憶されている曲のお気に入り度を算出する第３のお気に入り度算出手段とを備えていることを特徴とする請求項１記載の音声記録再生装置。
【請求項２０】
前記第３のお気に入り度算出手段による算出結果に基づいて、前記曲のお気に入り順位を示す情報を作成する第３のお気に入り順位情報作成手段を備えていることを特徴とする請求項１９記載の音声記録再生装置。
【請求項２１】
前記制御手段が、
前記第３のお気に入り順位情報作成手段により作成されるお気に入り順位情報に基づいて、前記記憶手段に記憶されている対応する曲の再生処理を行うものであることを特徴とする請求項２０記載の音声記録再生装置。
【請求項２２】
前記第１〜第３のお気に入り度算出手段による算出結果に基づいて作成される曲及びア−ティストお気に入り順位情報のうちのどの順位情報を曲の再生順序情報として選択するのかを使用者が任意に設定することのできる選択設定手段を備えていることを特徴とする請求項２１記載の音声記録再生装置。
【請求項２３】
複数の使用者で共用することのできるものであって、
使用者毎の前記曲お気に入り順位を示す情報を記憶する使用者情報記憶手段と、
前記使用者を特定するための使用者特定手段とを備え、
前記制御手段が、
前記使用者特定手段により特定された使用者の前記情報を前記使用者情報記憶手段から読み出し、読み出された前記情報に基づいて制御を行うものであることを特徴とする請求項１〜８のいずれかの項に記載の音声記録再生装置。
【請求項２４】
複数の使用者で共用することのできるものであって、
使用者毎の前記ア−ティストお気に入り順位を示す情報を記憶する使用者情報記憶手段と、
前記使用者を特定するための使用者特定手段とを備え、
前記制御手段が、
前記使用者特定手段により特定された使用者の前記情報を前記使用者情報記憶手段から読み出し、読み出された前記情報に基づいて制御を行うものであることを特徴とする請求項９〜１８のいずれかの項に記載の音声記録再生装置。
【請求項２５】
複数の使用者で共用することのできるものであって、
使用者毎の前記曲のお気に入り順位、及び前記ア−ティストのお気に入り順位を示す情報を記憶する使用者情報記憶手段と、
前記使用者を特定するための使用者特定手段とを備え、
前記制御手段が、
前記使用者特定手段により特定された使用者の前記情報を前記使用者情報記憶手段から読み出し、読み出された前記情報に基づいて制御を行うものであることを特徴とする請求項１９〜２２のいずれかの項に記載の音声記録再生装置。
【請求項２６】
曲の音楽デ−タを記憶する記憶手段を備え、該記憶手段に記憶されている曲の音楽デ−タを再生する音声記録再生装置に、
前記記憶手段に記憶されている曲のタイトル別に曲の再生回数と早送り回数とをカウントさせる機能と、
カウントされた前記曲のタイトル別のカウント情報に基づいて、前記記憶手段に記憶されている曲の曲お気に入り度を算出する機能とを実現させることを特徴とする音声記録再生用プログラム。
【請求項２７】
曲の音楽デ−タを記憶する記憶手段を備え、該記憶手段に記憶されている曲の音楽デ−タを再生する音声記録再生装置に、
前記記憶手段に記憶されている曲のア−ティスト別に曲の再生回数と早送り回数とをカウントさせる機能と、
カウントされたア−ティスト別カウント情報に基づいて、前記記憶手段に記憶されている曲のア−ティストお気に入り度を算出する機能とを実現させることを特徴とする音声記録再生用プログラム。
【請求項２８】
前記記憶手段に記憶されている曲のア−ティスト別に曲の再生回数と早送り回数とをカウントさせる機能と、
カウントされたア−ティスト別カウント情報に基づいて、前記記憶手段に記憶されている曲のア−ティストお気に入り度を算出する機能と、
前記曲お気に入り度に、前記ア−ティストお気に入り度を加算して、前記記憶手段に記憶されている曲のお気に入り度を算出する機能とを実現させることを特徴とする請求項２６記載の音声記録再生用プログラム。
【手続補正２】
【補正対象書類名】明細書
【補正対象項目名】００１０
【補正方法】変更
【補正の内容】
【００１０】
【課題を解決するための手段及びその効果】
上記目的を達成するために本発明に係る音声記録再生装置（１）は、曲の音楽
デ−タを記憶する記憶手段と、該記憶手段に記憶されている曲の音楽デ−タを再
生する再生手段と、少なくともこれら手段を制御する制御手段とを備えた音声記
録再生装置において、前記記憶手段に記憶されている曲のタイトル別に曲の再生
回数と早送り回数とをカウントしていくタイトル別曲カウント手段と、該タイト
ル別曲カウント手段によりカウントされた前記曲のタイトル別のカウント情報に
基づいて、前記記憶手段に記憶されている曲の曲お気に入り度を算出する第１の
お気に入り度算出手段とを備えていることを特徴としている。
【手続補正３】
【補正対象書類名】明細書
【補正対象項目名】００１６
【補正方法】変更
【補正の内容】
【００１６】
また本発明に係る音声記録再生装置（４）は、上記音声記録再生装置（３）に
おいて、前記制御手段が、前記第１のお気に入り順位情報作成手段により作成さ
れるお気に入り順位情報に基づいて、前記記憶手段に記憶されている対応する曲
の再生処理を行うものであることを特徴としている。
【手続補正４】
【補正対象書類名】明細書
【補正対象項目名】００２６
【補正方法】変更
【補正の内容】
【００２６】
また本発明に係る音声記録再生装置（９）は、曲の音楽デ−タを記憶する記憶
手段と、該記憶手段に記憶されている曲の音楽デ−タを再生する再生手段と、少
なくともこれら手段を制御する制御手段とを備えた音声記録再生装置において、
前記記憶手段に記憶されている曲のア−ティスト別に曲の再生回数と早送り回数
とをカウントしていくア−ティスト別カウント手段と、該ア−ティスト別カウン
ト手段によりカウントされたア−ティスト別カウント情報に基づいて、前記記憶
手段に記憶されている曲のア−ティストお気に入り度を算出する第２のお気に入
り度算出手段とを備えていることを特徴としている。
【手続補正５】
【補正対象書類名】明細書
【補正対象項目名】００３２
【補正方法】変更
【補正の内容】
【００３２】
また本発明に係る音声記録再生装置（１２）は、上記音声記録再生装置（１１
）において、前記制御手段が、前記第２のお気に入り順位情報作成手段により作
成されるお気に入り順位情報に基づいて、前記記憶手段に記憶されている対応す
る曲の再生処理を行うものであることを特徴としている。
【手続補正６】
【補正対象書類名】明細書
【補正対象項目名】００４６
【補正方法】変更
【補正の内容】
【００４６】
また本発明に係る音声記録再生装置（１９）は、上記音声記録再生装置（１）
において、前記記憶手段に記憶されている曲のア−ティスト別に曲の再生回数と
早送り回数とをカウントしていくア−ティスト別カウント手段と、該ア−ティス
ト別カウント手段によりカウントされたア−ティスト別カウント情報に基づいて
、前記記憶手段に記憶されている曲のア−ティストお気に入り度を算出する第２
のお気に入り度算出手段と、前記第１のお気に入り度算出手段により算出された
前記曲お気に入り度に、前記第２のお気に入り度算出手段により算出された前記
ア−ティストお気に入り度を加算して、前記記憶手段に記憶されている曲のお気
に入り度を算出する第３のお気に入り度算出手段とを備えていることを特徴とし
ている。
【手続補正７】
【補正対象書類名】明細書
【補正対象項目名】００４７
【補正方法】変更
【補正の内容】
【００４７】
上記音声記録再生装置（１９）によれば、前記第１のお気に入り度算出手段に
より算出された前記曲お気に入り度に、前記第２のお気に入り度算出手段により
算出された前記ア−ティストお気に入り度を加算して、曲のお気に入り度が算出
されるので、例えば、前記第１のお気に入り度算出手段により算出された曲お気
に入り度が小さな曲でも、その曲が、前記ア−ティストお気に入り度の大きいア
−ティストの曲であれば、前記第３のお気に入り度算出手段により算出される曲
のお気に入り度が大きくなり、使用者のお気に入りのア−ティストの曲を大きく
反映した曲のお気に入り度を算出することができる。
【手続補正８】
【補正対象書類名】明細書
【補正対象項目名】００５０
【補正方法】変更
【補正の内容】
【００５０】
また本発明に係る音声記録再生装置（２１）は、上記音声記録再生装置（２０
）において、前記制御手段が、前記第３のお気に入り順位情報作成手段により作
成されるお気に入り順位情報に基づいて、前記記憶手段に記憶されている対応す
る曲の再生処理を行うものであることを特徴としている。
【手続補正９】
【補正対象書類名】明細書
【補正対象項目名】００６０
【補正方法】変更
【補正の内容】
【００６０】
また本発明に係る音声記録再生用プログラム（１）は、曲の音楽デ−タを記憶
する記憶手段を備え、該記憶手段に記憶されている曲の音楽デ−タを再生する音
声記録再生装置に、前記記憶手段に記憶されている曲のタイトル別に曲の再生回
数と早送り回数とをカウントさせる機能と、カウントされた前記曲のタイトル別
のカウント情報に基づいて、前記記憶手段に記憶されている曲の曲お気に入り度
を算出する機能とを実現させることを特徴としている。
【手続補正１０】
【補正対象書類名】明細書
【補正対象項目名】００６２
【補正方法】変更
【補正の内容】
【００６２】
また本発明に係る音声記録再生用プログラム（２）は、曲の音楽デ−タを記憶
する記憶手段を備え、該記憶手段に記憶されている曲の音楽デ−タを再生する音
声記録再生装置に、前記記憶手段に記憶されている曲のア−ティスト別に曲の再
生回数と早送り回数とをカウントさせる機能と、カウントされたア−ティスト別
カウント情報に基づいて、前記記憶手段に記憶されている曲のア−ティストお気
に入り度を算出する機能とを実現させることを特徴としている。
【手続補正１１】
【補正対象書類名】明細書
【補正対象項目名】００６４
【補正方法】変更
【補正の内容】
【００６４】
また本発明に係る音声記録再生用プログラム（３）は、上記音声記録再生用プ
ログラム（１）において、前記記憶手段に記憶されている曲のア−ティスト別に
曲の再生回数と早送り回数とをカウントさせる機能と、カウントされたア−ティ
スト別カウント情報に基づいて、前記記憶手段に記憶されている曲のア−ティス
トお気に入り度を算出する機能と、前記曲お気に入り度に、前記ア−ティストお
気に入り度を加算して、前記記憶手段に記憶されている曲のお気に入り度を算出
する機能とを実現させることを特徴としている。